【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
ビデオ・データ復号化システム内の表示装置上に表示されるフリーズ画像を構築する方法であって、
前記復号化システム内で空間的かつ時間的に再構築されるビデオ・データで、前記表示装置上に表示される画像を構成する複数のフィールドを含むビデオ・データを受信する受信ステップと、
前記画像を構成する複数のフィールドのうち１つを選択する選択ステップと、
前記画像を構成する複数のフィールドを表示している時間期間中に、前記複数のフィールドのうち前記選択した１つを前記表示装置に送出する送出ステップと
を備えたことを特徴とする方法。
【請求項２】
前記ビデオ・データがプログレッシブ素材（source material）を基とするとき、前記ビデオ・データを受信する受信ステップは、フレーム画像を、前記画像を構成する複数のフィールドに分割するステップを含むことを特徴とする請求項１に記載の方法。
【請求項３】
前記フレーム画像は２つのフィールドを有し、かつ前記２つのフィールドのうち１つは、前記フレーム画像を表示すべき時間期間中、前記送出ステップによって表示されることを特徴とする請求項２に記載の方法。
【請求項４】
前記２つのフィールドは、前記フレーム画像の偶数番のラスタ・ラインを備えた第１のフィールドと、前記フレーム画像の奇数番のラスタ・ラインを備えた第２のフィールドとから成ることを特徴とする請求項３に記載の方法。
【請求項５】
前記ビデオ・データが非プログレッシブ素材を基とするとき、画像を構成する前記複数のフィールドは、非プログレッシブ表示のために交互に表示される複数のフィールド画像であることを特徴とする請求項１に記載の方法。
【請求項６】
前記複数のフィールドは、前記画像の偶数番のラスタ・ラインを備えた第１のフィールドと、前記画像の奇数番のラスタ・ラインを備えた第２のフィールドとから成るインターレース表示のための２つのフィールド画像であることを特徴とする請求項５に記載の方法。
【請求項７】
前記２つのフィールド画像のうち１つが、前記２つのフィールド画像を表示すべき時間期間中、表示されることを特徴とする請求項６に記載の方法。
【請求項８】
前記ビデオ・データは、Ｍｏｖｉｎｇ  Ｐｉｃｔｕｒｅｓ  Ｅｘｐｅｒｔｓ  Ｇｒｏｕｐ（ＭＰＥＧ）標準に準拠していることを特徴とする請求項１に記載の方法。
【請求項９】
前記複数のフィールドのうちの前記選択した１つのフィールドのビデオ・データにフィルタをかけて、前記フリーズ画像の品質を向上させるステップをさらに含むことを特徴とする請求項１に記載の方法。
【請求項１０】
ビデオ・データ復号システム内の表示装置上に表示されるフリーズ画像を構築する方法であって、
前記復号化システム内で空間的かつ時間的に再構築されるビデオ・データを受信する受信ステップと、
前記ビデオ・データの基となる素材のタイプを指示する記述子であって前記ビデオ・データの記述子が誤っているかどうかを判定する第１の判定ステップと、
前記記述子がプログレッシブを指示するか、または非プログレッシブを指示するかを判定する第２の判定ステップと、
前記第１の判定ステップにおいて前記記述子が誤っておらず、かつ前記第２の判定ステップにおいて前記記述子がプログレッシブを指示するとき、フリーズ画像を構築するため、前記ビデオ・データのフレーム画像を表示装置に送出する送出ステップと、
前記第１の判定ステップにおいて、前記記述子が誤っているとき、または前記第２の判定するステップにおいて、前記記述子が非プログレッシブを指示するとき、フリーズ画像を構築するため、前記ビデオ・データの複数のフィールド画像のうち１つを表示装置に送出する送出ステップと
を備えることを特徴とする方法。
【請求項１１】
前記ビデオ・データは、ＭＰＥＧ標準に準拠することを特徴とする請求項１０に記載の方法。
【請求項１２】
前記記述子は、プログレッシブまたは非プログレッシブを指示するフラグを含むことを特徴とする請求項１１に記載の方法。
【請求項１３】
前記第２の判定ステップにおいて、前記記述子が非プログレッシブを指示するとき、前記複数のフィールド画像のうち１つを送出する送出ステップは、
１つの画像を構成する複数のフィールド画像のうち１つを選択する選択ステップと、
前記画像を構成する複数のフィールド画像を表示すべき時間期間中、前記複数のフィールド画像のうち前記選択した１つを送出する送出ステップと
を含むことを特徴とする請求項１０に記載の方法。
【請求項１４】
前記複数のフィールド画像は、インターレース表示の２つのフィールド画像であり、該２つのフィールド画像の一方が前記画像の偶数番のラスタ・ラインを備え、また他方が前記画像の奇数番のラスタ・ラインを備えることを特徴とする請求項１３に記載の方法。
【請求項１５】
前記第１の判定ステップにおいて前記記述子が誤っているとき、複数のフィールド画像のうち１つを送出する送出ステップは、
前記ビデオ・データがプログレッシブ素材を基としているとき、プログレッシブ表示のフレーム画像を、画像を構成する前記複数のフィールドに分割する分割ステップと、
前記複数のフィールドのうち１つを選択する選択ステップと、
前記フレーム画像を表示すべき時間期間中、前記複数のフィールドのうち前記選択した１つを前記表示装置に送出する送出ステップと
を含むことを特徴とする請求項１０に記載の方法。
【請求項１６】
前記フレーム画像から分割された前記フィールドは、２つのフィールドであり、一方は前記フレーム画像の偶数番のラスタ・ラインを備え、また他方は前記フレーム画像の奇数番のラスタ・ラインを備えることを特徴とする請求項１５に記載の方法。
【請求項１７】
前記第１の判定ステップで前記記述子が誤っているとき、前記フィールドのうち前記選択した１つを送出する送出ステップは、
非プログレッシブ表示の画像を構成する複数のフィールドのうち１つを選択する選択ステップと、
前記画像を構成する複数のフィールドを表示すべき時間期間中、前記フィールドのうち前記選択した１つを前記表示装置に送出する送出ステップと
を備えることを特徴とする請求項１０に記載の方法。
【請求項１８】
前記複数のフィールドは、インターレース表示用の２つのフィールド画像であり、２つのフィールド画像は、一方が前記画像の偶数番のラスタ・ラインを備え、また他方は前記画像の奇数番のラスタ・ラインを備えることを特徴とする請求項１７に記載の方法。
【請求項１９】
前記複数のフィールドのうち前記選択した１つのビデオ・データにフィルタをかけて、前記フリーズ画像の品質を向上させるステップをさらに含むことを特徴とする請求項１０に記載の方法。
【請求項２０】
ビデオ・データ復号システム内の表示装置上に表示されるフリーズ画像を構築する装置であって、
前記復号化システム内で空間的かつ時間的に再構築されるビデオ・データであって、前記表示装置上に表示される画像を構成する複数のフィールドを含む前記ビデオ・データを受信する受信手段と、
前記画像を構成する複数のフィールドのうち１つを選択する選択手段と、
前記画像を構成する複数のフィールドを表示している時間期間中、前記複数のフィールドのうち前記選択した１つを前記表示装置に送出する送出手段と
を備えたことを特徴とする装置。